(57)【要約】【課題】  従来の永久磁石を利用したエネルギー発生装置は、磁力による作用、反作用の原理により、一瞬の動きのみで、エネルギーを発生させることはなかった。【解決手段】  直径の異なる回転体に、磁力の強弱をつけたことを特長とする複数の永久磁石及び、単体の永久磁石を同極が向き合うように設置し、反発する力のモーメントに差をつける。  それらの径の異なる回転体に、同じ径のギヤ等を取り付けることにより、同角度の回転になり、また、回転体の円周が異なることにより、永久磁石同士が少しずつズレながら回転体を元の相に戻すことになる。  モーメントによるエネルギーは反発力×半径であり、永久磁石同士が少しずつズレながら元の相に戻る限り、モーメント力の差をエネルギーとして取り出すことが出来る。【選択図】図１
2017005968.tif 000002
【特許請求の範囲】
【請求項１】
主たる回転体等に取り付けた複数の磁石群上における従たる回転体に取り付けた単体磁石を強磁力磁石から弱磁力磁石側へと移動させる装置。
【請求項２】
ギヤの歯を一部取り去った特殊な形状の装置。
【請求項３】
逆回転防止のための突起装置。
【請求項４】
主たる回転体の直径を、従たる回転体の直径よりも大きくした装置。
【請求項５】
径の異なる各々の回転体を同角で回転させるために取り付けた同径のギヤ。
【発明の詳細な説明】
【技術分野】
【０００１】  本発明は、エネルギー発生装置に関するものであり、永久磁石の反発力をモーメント力に変換し、そのモーメント力の差を利用することにより、回転力つまりエネルギーを発生させようとするものである。
【背景技術】
【０００２】  従来、エネルギーを生み出すには、化石燃料による内燃機関、原子核分裂を利用する原子力発電等が主流である。これらのシステムは、気候変動・放射能汚染等、様々な問題を抱えており、石油や原子力に代わるクリーンで環境にやさしい安全なエネルギー発生装置の開発が模索されているところである。
【先行技術文献】
【０００３】
【特許文献１】  米国特許第４，１７９，６３３号
【発明の概要】
【発明が解決しようとする課題】
【０００４】  特許文献１に開示されている従来の永久磁石エネルギー発生装置では、永久磁石の異種極の引っ張る力や同種極の反発する力を利用し、エネルギーを発生させようとしている。
しかし、これらの永久磁石エネルギー発生装置では、作用・反作用の原理により一瞬の動きのみで、エネルギーを発生することはなかった。
【課題を解決するための手段】
【０００５】  本発明は、このような従来の装置が有していた問題を解決しようとするものであり、永久磁石が有する同種極の反発力のみを利用し、作用・反作用の力を各々異なるモーメント力へと変換、その生じたモーメント力の不均衡による差をエネルギーに変換させようとする装置である。【０００６】  主たる回転体等には磁力の強弱をつけたことを特長とする複数の永久磁石を１セットとし、従たる回転体には単体の永久磁石を同種極が向き合うように設置する。
各回転体に設置された永久磁石は同じ力で反発しあい、同じ方向へ回転しようとするモーメント力が発生する。【０００７】  従たる回転体の直径は主たる回転体等の直径よりも小さくする。
各回転体の直径が異なるということは、その中心軸に対するモーメント力にも差が生じることとなる。【０００８】  同じ回転角で各々の回転体を回転させるため、同径のギヤ等を各々の回転体に取り付ける。
各々の回転体には中心軸においてモーメント力に差が生じ、同径のギヤ等でそのモーメント力をお互いに伝達させた場合、主たる回転体等のモーメント力の方が径の差の分だけ大きく、従たる回転体はそのモーメント力により、反対方向へと回転することとなる。
また、モーメント力を伝達させるギヤ等の径は同径であるため、各々の回転体は、回転時、見かけ上相対的なズレが生じ、主たる回転体等は従たる回転体よりも先行しながら回転することとなる。【０００９】  主たる回転体等の強弱をつけた複数の永久磁石群の最初の磁石が、回転時において、従たる回転体に対し最接近位置に達した時点で、従たる回転体に取り付けた単体の永久磁石は、各々の回転体に取り付けた磁石の最接近位置に達しないように位置関係を調整する必要がある。【００１０】  従たる回転体の単体磁石が主たる回転体等の磁石群に最接近し、それ以上回転した場合は逆回転を生じる。
その逆回転防止のため、従たる回転体の単体磁石が主たる回転体等の磁石群に最接近した時点で、従たる回転体の回転を止める必要がある。
従たる回転体の回転を止めた場合、主たる回転体等に取り付けた磁石群は、従たる回転体に取り付けた単体磁石による反発力のため、強磁力側が遠ざかろうとする。
従って、主たる回転体は、従たる回転体の回転を止めた場合でも回転運動を続ける。
【発明の効果】
【００１１】  本発明により、従来の装置の様に駆動部が一瞬で止まることはなく、同一運動を繰り返すことが出来、永久に回転をし続け、安全でクリーンなエネルギーを無尽蔵に供給することができる。
また、工業的に量産する事も可能であり、一度作動すれば半永久的に作動し続けるため、産業上の利用価値も高い。
なお、太陽光の微弱な宇宙空間においても、電力供給装置として利用可能である。
【図面の簡単な説明】
【００１２】
【図１】  本装置の正面図である。
【図２】  本装置の側面図である。
【図３】  主たる回転体とギヤ等の関係図である。
【図４】  従たる回転体とギヤ等の関係図である。
【図５】  主たる回転体に取り付けた強磁力から弱い磁力へと並べた永久磁石群と、従たる回転体に取り付けた単体磁石との関係図である。
【発明を実施するための形態】
【００１３】  主たる回転体等には、磁力に強弱をつけたことを特長とする複数の永久磁石を１セットとした磁石群を設置する。
従たる回転体には、主たる回転体等の磁石群と同極が向き合う様にした、単体の磁石を設置する。
同極同士を向かい合わせにした場合、磁石は反発し、反発力の強い方から弱い方へと移動する。
各々の回転体には同径のギヤ等を取り付ける。
その取り付けたギヤ等を噛み合わせることにより、各々の回転体は同じ回転角で回るため、見かけ上、従たる回転体の単体の永久磁石は、主たる回転体等の永久磁石群上において、磁力の強から弱へ移動していくこととなる。
なお、逆回転を防ぐため、従たる回転体の単体磁石が主たる回転体等の磁石群に最接近した時点で、従たる回転体の回転を一時止める必要がある。
主たる回転体にはギヤの歯を一部取り去った特殊な形状のギヤを取り付ける。
従たる回転体の中心軸には、逆回転防止用の軸を取り付ける。
従たる回転体の単体磁石が、主たる回転体等の磁石群に最接近した時点で、従たる回転体の中心軸に取り付けた逆回転防止軸及び主たる回転体の特殊ギヤにより、その回転を一時的に止める。
主たる回転体は、主たる回転体に取り付けた特殊な形状のギヤにより、従たる回転体の影響を受けず、従たる回転体に取り付けた単体磁石の反発力のみの影響を受け自由に回転する。
主たる回転体が一定の時間回転した時点において、再度、主たる回転体に取り付けた特殊な形状のギヤにより、従たる回転体を回転させる。
【符号の説明】
【００１４】１        回転体の中心軸
２        主たる回転体
３        従たる回転体
４        主たる回転体に取り付けた特殊な形状のギヤ
５        従たる回転体に取り付けたギヤ
６        単体磁石
７        強磁力から弱磁力へと並べた磁石群
８        逆回転防止用軸
９        磁石群を設置したベルト等
１０      主たる回転体と同径の回転体
１１      ギヤの歯の部分
【図１】
2017005968.tif 000003
【図２】
2017005968.tif 000004
【図３】
2017005968.tif 000005
【図４】
2017005968.tif 000006
【図５】
2017005968.tif 000007